(57)【特許請求の範囲】
【請求項１】
Ｗｅｂページの閲覧が行われたときに、このＷｅｂページの保存が指示されたときにはこのＷｅｂページのＵＲＬと閲覧時におけるＷｅｂブラウザの操作キーによる操作状態の設定情報をそれぞれ対応付けて記憶し、このＷｅｂページの保存が指示されないときにはこのＷｅｂページのＵＲＬと閲覧時におけるＷｅｂブラウザの操作キーによる操作状態の設定情報をそれぞれ対応付けて記憶しない記憶手段と、
前記記憶手段により記憶されたＵＲＬのＷｅｂページを表示するとき、所定サーバからこのＵＲＬに対応するＷｅｂページのページ情報を受信するとともに、前記記憶手段によりこのＵＲＬに対応付けられた設定情報に基づいてＷｅｂブラウザの操作状態を設定して表示する表示手段とを備え、
前記記憶手段に記憶される設定情報は、そのＷｅｂページに対してユーザが設定した、フォーカス位置を示すフォーカス位置情報と、１回のキー操作によるスクロールの移動量を示す情報とを含み、
前記操作キーによるＷｅｂページの操作は前記設定情報に基づきフォーカス位置情報とスクロールの移動量とが設定されることを特徴とする電子機器。
【請求項２】
前記記憶手段に記憶される設定情報は、そのＷｅｂページに対してユーザが設定した表示画面の拡大縮小率を示す情報を含んでいることを特徴とする請求項１に記載の電子機器。
【請求項３】
前記記憶手段に記憶される設定情報は、そのＷｅｂページに対してユーザが設定した音量を示す情報を含んでいることを特徴とする請求項１に記載の電子機器。
【発明の詳細な説明】
【技術分野】
【０００１】
本発明は、閲覧中のＷｅｂページをブックマークとして登録した後、ブックマークからこのＷｅｂページを閲覧する時に、Ｗｅｂブラウザの操作状態をブックマーク登録時の状態にして閲覧することができる電子機器に関する。
【背景技術】
【０００２】
近年、携帯電話機等の電気通信端末が普及するとともに、これらの電気通信端末で通信を行うためのインフラが整備され、電気通信端末を用いたＷｅｂページの閲覧が多く行われるようになってきた。携帯電話機等の電気通信機器では携帯性が重視され、ディスプレイや操作キー等の操作性が良くないため、ユーザがＷｅｂページを閲覧する場合には、フォントサイズ、スクロール単位、拡大縮小率等に関して、最適な操作状態で閲覧できることが望ましい。しかしながら、Ｗｅｂページ毎に最適な操作状態を設定するのは、ユーザにとって大変手間のかかる作業である。
【０００３】
そこで、ユーザによる操作状態を保存し、かつ再生するＷｅｂブラウザを用いた情報提供制御方法が提案されている（特許文献１参照）。この情報提供制御方法において、ユーザがＷｅｂブラウザ上で操作状態を保存したい場合、操作状態を特定するクエリ文字列を含んだＵＲＬを保存し、ユーザが再度このＷｅｂページを閲覧したい場合、この保存されたＵＲＬに基づいてページを取得することで、操作状態を反映したページを閲覧することができる。
【特許文献１】特開平１０−３０７７９５号公報
【発明の開示】
【発明が解決しようとする課題】
【０００４】
電子通信機器を用いてＷｅｂページを閲覧する際に、クエリ文字列を含んだＵＲＬを用いて操作状態を特定する場合、クエリ文字列を作成する端末側とＷｅｂ閲覧情報を提供するサーバ側とにおいてクエリ文字列に関する規格を統一する必要があるとともに、サーバ側は、これらのクエリ文字列に基づいてＷｅｂ閲覧情報を生成し直す必要が生じてしまう。よって、電子通信機器を用いてＷｅｂページを閲覧する際に、端末側でＷｅｂページ毎にＷｅｂブラウザの操作状態を制御できることが望ましい。
【０００５】
本発明は、上記課題を鑑みなされたものであり、Ｗｅｂページを表示する際に、ＷｅｂブラウザをこのＷｅｂページに適した操作状態にして表示することができる電子機器を提供することを目的とする。
【課題を解決するための手段】
【０００６】
上記課題を解決するために、本発明に係る電子機器は、閲覧中のＷｅｂページのＵＲＬと閲覧時におけるＷｅｂブラウザの操作状態を示す設定情報をそれぞれ対応付けて記憶する記憶手段と、前記記憶手段により記憶されたＵＲＬのＷｅｂページを表示するとき、所定サーバからこのＵＲＬに対応するＷｅｂページのページ情報を受信するとともに、前記記憶手段によりこのＵＲＬに対応付けられた設定情報に基づいてＷｅｂブラウザの操作状態を設定して表示する表示手段と、を備えたことを特徴とする。
【発明の効果】
【０００７】
本発明に係る電子機器によると、ＷｅｂページのＵＲＬをブラウザの操作状態と併せて記憶しておくことで、このＷｅｂページを表示する際に、ＷｅｂブラウザをこのＷｅｂページの閲覧に適した操作状態にして表示することが可能となる。
【発明を実施するための最良の形態】
【０００８】
本発明に係る電子機器の実施形態について、添付図面を参照しながら説明する。本発明に係る電子機器として、複数の筐体が開閉自在に結合されてなるクラムシェル型の携帯電話機を例にあげて説明する。図１（Ａ）は、携帯電話機１の開状態を示す正面図、図１（Ｂ）は、携帯電話機１の開状態を示す側面図である。また、図２（Ａ）は、携帯電話機１の閉状態を示す正面図、図２（Ｂ）は、携帯電話機１の閉状態を示す側面図である。
【０００９】
携帯電話機１は、図１及び図２に示すように、矩形の板状の上筐体１０と、この上筐体１０とほぼ同形状をした下筐体１１とが、相互に一面を覆うように積層されることにより形成されている。これらの上筐体１０及び下筐体１１は、ヒンジ部１２を挟むようにヒンジ結合されていて、上筐体１０は下筐体１１に対して、ヒンジ部１２を軸にして、図１（Ａ）のＸ方向に所定角度だけ回転自在なように形成されている。
【００１０】
上筐体１０の内面（下筐体１１に対面する側の面）には、入力された文字列や撮像された画像、受信されたＷｅｂページ等を表示するための液晶ディスプレイ１３、音声を出力するためのスピーカ１４が設けられている。これらの液晶ディスプレイ１３やスピーカ１４は、携帯電話機１が閉状態のときには、下筐体１１により覆われていて外部に露出していないが、上筐体１０を下筐体１１に対して回転させて開状態に変形させたときには、外部に露出される。
【００１１】
下筐体１１の内面（上筐体１０に対面する側の面）には、例えば、カーソルを上下左右に移動させるための十字キーや、数字を入力するための数字キー、発信処理を行うための発信キー等の操作キー１５が設けられている。また下筐体１１には、音声を集音するためのマイクロフォン１６が設けられている。これらの操作キー１５やマイクロフォン１６は、携帯電話機１が閉状態のときには、上筐体１０により覆われていて外部に露出していないが、上筐体１０を下筐体１１に対して回転させて開状態に変形させたときには、外部に露出される。
【００１２】
次に、携帯電話機１の機能について、図３に示す機能ブロック図を用いて説明する。携帯電話機１は、図３に示すように、主制御部２０、電源回路部２１、操作入力制御部２２、表示制御部２３、音声コーデック２４、変復調回路部２５、閲覧制御部２６、及び記憶部２７がバスによって相互に接続されて構成されている。
【００１３】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する閲覧制御処理や、その他の様々な演算処理や制御処理等を行う。また、主制御部２０は現在日時を計時しており、閲覧制御部２６からの指示に基づいて、現在日時を示す情報を閲覧制御部２６に送信する。電源回路部２１は、ユーザによる操作キー１５を介した入力に基づいて電源のオン／オフ状態を切り替え、電源がオン状態の場合に電力供給源（バッテリ等）から各部に対して電力を供給して、携帯電話機１を動作可能にする。
【００１４】
操作入力制御部２２は操作キー１５に対する入力インタフェースを備え、操作キー１５を介して入力された信号を主制御部２０に伝送する。表示制御部２３は液晶ディスプレイ１３に対する表示インタフェースを備え、主制御部２０や閲覧制御部２６の制御に基づいて、文書データや画像データ等を液晶ディスプレイ１３に表示する。
【００１５】
携帯電話機１は、他の携帯電話機や固定電話機に対して、基地局（図示せず）を介して音声通話処理を行う。すなわち音声コーデック２４は、主制御部２０の制御に基づいて、マイクロフォン１６が集音した音声を取得して、この音声のアナログ信号をデジタル信号に変換し、変復調回路部２５に伝送する。変復調回路部２５は、このデジタル信号をスペクトラム拡散処理して送受信回路部３０に伝送する。送受信回路部３０は、このデジタル信号をアンテナ３１を介して基地局に送信する。
【００１６】
また変復調回路部２５は、送受信回路部３０がアンテナ３１を介して基地局から受信したデジタル信号をスペクトラム逆拡散処理して音声コーデック２４に伝送する。音声コーデック２４は、音声通話の際に、変復調回路部２５から取得したデジタル信号をアナログ信号に変換して、この音声をスピーカ１４から出力する。
【００１７】
また、携帯電話機１は、他の携帯電話機や通信機器に対してデータ通信処理を行う。すなわち携帯電話機１は、電子メールやＷｅｂ閲覧データ（情報）、画像データ、映像データ等の様々なデータの送受信処理を行う。主制御部２０は、データを受信する際、送受信回路部３０がアンテナ３１を介して基地局から受信した受信信号を変復調回路部２５でスペクトラム逆拡散処理して、データを復元する。このデータは、主制御部２０の指示により、表示制御部２３を介して液晶ディスプレイ１３に表示されたり記憶部２７に記録されたりする。
【００１８】
また主制御部２０は、操作入力制御部２２を介して入力されたデータや記憶部２７に記憶されたデータを送信する際、変復調回路部２５がデータに対してスペクトラム拡散処理を行い、送受信回路部３０がアンテナ３１を介して基地局に送信する。
【００１９】
閲覧制御部２６は、所定サーバからアンテナ３１を介してＷｅｂ閲覧情報を受信した際、Ｗｅｂブラウザ（以下、単にブラウザと言う。）を起動するとともに、Ｗｅｂ閲覧情報に基づいてＷｅｂページを生成して、液晶ディスプレイ１３に表示する。また、閲覧制御部２６は、ユーザによる操作キー１５を介する入力等によりＵＲＬが指定された際、このＵＲＬに基づいたＷｅｂ閲覧情報を所定サーバに要求する。
【００２０】
また閲覧制御部２６は、ユーザにより閲覧中のＷｅｂページをブックマークとして登録するように指示された場合、このＷｅｂページのＵＲＬをブラウザの操作状態と併せて記憶部２７に記憶するブックマーク登録処理を行う。さらに閲覧制御部２６は、ユーザにより閲覧中のＷｅｂページを保存するように指示された場合、このＷｅｂページのＵＲＬ、ページ内容をブラウザの操作状態と併せて記憶部２７に記憶するＷｅｂページ保存処理を行う。そして閲覧制御部２６は、閲覧が行われた全てのＷｅｂページに関して、ＵＲＬをブラウザの操作状態と併せてアクセス履歴として記憶部２７に記憶するアクセス履歴記憶処理を行う。
【００２１】
記憶部２７は、主制御部２０や閲覧制御部２６が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０や閲覧制御部２６が処理を行う際に使用されるデータを一時的に記憶するＲＡＭ（Ｒａｎｄｏｍ  Ａｃｃｅｓｓ  Ｍｅｍｏｒｙ）等から構成される。また、閲覧制御部２６がブックマーク登録処理等を行う際の処理プログラムは、例えばＲＯＭに記憶されているものとする。
【００２２】
また記憶部２７は、Ｗｅｂページのブックマーク情報４０を記憶するためのブックマーク記憶部２７ａを備えている。ブックマーク情報４０は、ユーザが所定のＷｅｂページを簡単な操作で受信して表示するために記憶される情報であり、図４に示すように、少なくとも、ＷｅｂページのＵＲＬを示すＵＲＬ情報４０ａ、Ｗｅｂページのタイトルを示すタイトル情報４０ｂ、Ｗｅｂページの閲覧時のブラウザの操作状態を示す設定情報４０ｃが対応付けられた情報である。設定情報４０ｃは、少なくとも、フォーカス位置情報４０ｄ、スクロール単位情報４０ｅ、文字サイズ情報４０ｆ、スクリプト設定情報４０ｇ、Ｃｏｏｋｉｅ設定情報４０ｈ、エンコード種別情報４０ｉ、サウンド音量情報４０ｊ、拡大縮小率情報４０ｋ、表示形式情報４０ｍ等を含んでいる。
【００２３】
フォーカス位置情報４０ｄは、例えば「１０行目」、「リンクＡ」のように、行数やリンク情報を指定することで、フォーカスの位置を示している。スクロール単位情報４０ｅは、例えば「１行」、「１ページ」のように、行数やページを指定することで、１回のスクロール処理での移動量を示している。文字サイズ情報４０ｆは、例えば「大」、「１０ｐｔ」のように、大きさレベルやポイント数を指定することで、文字サイズを示している。スクリプト設定情報４０ｇは、例えば「有効」、「無効」のように、スクリプトを有効にするか無効にするかを示している。Ｃｏｏｋｉｅ設定情報４０ｈは、例えば「有効」、「無効」のように、Ｃｏｏｋｉｅを有効にするか無効にするかを示している。
【００２４】
エンコード種別情報４０ｉは、例えば「自動認識」、「Ｓｈｉｆｔ＿ＪＩＳ」、「ＥＵＣ＿ＪＰ」のように、エンコードを指定することで、エンコード種別を示している。サウンド音量情報４０ｊは、例えば「大」、「５０」のように、大きさレベルや数値を指定することにより、サウンド音量を示している。拡大縮小率情報４０ｋは、例えば「１００％」、「５０％」のように、倍率を指定することで、Ｗｅｂページの表示画面の拡大率や縮小率を示している。表示形式情報４０ｍは、例えば「横向き」、「縦向き」のように、画面の向きを指定することで、表示形式を示している。
【００２５】
例えば、図４に示すブックマーク情報４０では、「ｈｔｔｐ：／／ｔｏｓｈｉｂａ１．ｃｏ．ｊｐ」のＵＲＬ情報４０ａ、「東芝１」のタイトル情報４０ｂに対して、「リンクＣ」のフォーカス位置情報４０ｄ、「１行」のスクロール単位情報４０ｅ、「大」の文字サイズ情報４０ｆ、「有効」のスクリプト設定情報４０ｇ、「有効」のＣｏｏｋｉｅ設定情報４０ｈ、「自動認識」のエンコード種別情報４０ｉ、「大」のサウンド音量情報４０ｊ、「１００％」の拡大縮小率情報４０ｋ、「縦向き」の表示形式情報４０ｍが対応付けられている。
【００２６】
また記憶部２７は、Ｗｅｂページ情報４１を記憶するためのＷｅｂページ記憶部２７ｂを備えている。Ｗｅｂページ情報４１は、所定のＷｅｂページがページの内容ごと記憶された情報であり、図５に示すように、ＷｅｂページのＵＲＬを示すＵＲＬ情報４１ａ、Ｗｅｂページのタイトルを示すタイトル情報４１ｂ、Ｗｅｂページの保存日時を示す保存日時情報４１ｃ、Ｗｅｂページのページ内容を示すページ情報４１ｄ、Ｗｅｂページの閲覧時の操作状態を示す設定情報４１ｅが対応付けられた情報である。設定情報４１ｅは、少なくとも、フォーカス位置情報４１ｆ、スクロール単位情報４１ｇ、文字サイズ情報４１ｈ、スクリプト設定情報４１ｉ、Ｃｏｏｋｉｅ設定情報４１ｊ、エンコード種別情報４１ｋ、サウンド音量情報４１ｍ、拡大縮小率情報４１ｎ、表示形式情報４１ｐ等を含んでいる。
【００２７】
例えば、図５に示すＷｅｂページ情報４１では、「ｈｔｔｐ：／／ｔｏｓｈｉｂａ１．ｃｏ．ｊｐ」のＵＲＬ情報４１ａ、「東芝１」のタイトル情報４１ｂ、「２００７／１０／３０」の保存日時情報４１ｃ、及びこのＷｅｂページのページ内容情報４１ｄに対して、「リンクＣ」のフォーカス位置情報４１ｆ、「１行」のスクロール単位情報４１ｇ、「大」の文字サイズ情報４１ｈ、「有効」のスクリプト設定情報４１ｉ、「有効」のＣｏｏｋｉｅ設定情報４１ｊ、「自動認識」のエンコード種別情報４１ｋ、「大」のサウンド音量情報４１ｍ、「１００％」の拡大縮小率情報４１ｎ、「縦向き」の表示形式情報４１ｐが対応付けられている。
【００２８】
携帯電話機１は、電気通信回線を用いなくても、Ｗｅｂページ記憶部２７ｂに記憶されているＷｅｂページ情報４１に基づいて、このＷｅｂページを液晶ディスプレイ１３に表示させることができる。
【００２９】
また記憶部２７は、アクセス履歴情報４２を記憶するためのアクセス履歴記憶部２７ｃを備えている。アクセス履歴情報４２は、ユーザの指示に基づいて過去にアクセスされたＷｅｂページの情報であり、図６に示すように、ＷｅｂページのＵＲＬを示すＵＲＬ情報４２ａ、Ｗｅｂページのタイトルを示すタイトル情報４２ｂ、Ｗｅｂページの閲覧時の操作状態を示す設定情報４２ｃが対応付けられた情報である。設定情報４２ｃは、少なくとも、フォーカス位置情報４２ｄ、スクロール単位情報４２ｅ、文字サイズ情報４２ｆ、スクリプト設定情報４２ｇ、Ｃｏｏｋｉｅ設定情報４２ｈ、エンコード種別情報４２ｉ、サウンド音量情報４２ｊ、拡大縮小率情報４２ｋ、表示形式情報４２ｍ等を含んでいる。
【００３０】
例えば、図６に示すアクセス履歴情報４２では、「ｈｔｔｐ：／／ｔｏｓｈｉｂａ１．ｃｏ．ｊｐ」のＵＲＬ情報４２ａ、「東芝１」のタイトル情報４２ｂに対して、「リンクＣ」のフォーカス位置情報４２ｄ、「１行」のスクロール単位情報４２ｅ、「大」の文字サイズ情報４２ｆ、「有効」のスクリプト設定情報４２ｇ、「有効」のＣｏｏｋｉｅ設定情報４２ｈ、「自動認識」のエンコード種別情報４２ｉ、「大」のサウンド音量情報４２ｊ、「１００％」の拡大縮小率情報４２ｋ、「縦向き」の表示形式情報４２ｍが対応付けられている。
【００３１】
携帯電話機１は、上述したように、Ｗｅｂページの閲覧中にユーザによりＷｅｂページをブックマークに登録するよう指示された場合、この閲覧中のＷｅｂページに関してＵＲＬとブラウザの操作状態とを併せてブックマーク記憶部２７ａに記憶するブックマーク登録処理を行う。携帯電話機１がブックマーク登録処理を行う際の手順について、図７に示すフローチャート、図８に示すシーケンス図、図９（Ａ）及び図９（Ｂ）に示す画面図に基づいて説明する。なお、図８に示すシーケンス図における各ステップは、図７に示すフローチャートにおける各ステップに対応している。以下、例えば「ステップＳ１１１」を「Ｓ１１１」のように、「ステップ」の語句を省略して説明する。
【００３２】
閲覧制御部２６は、例えばユーザにより操作キー１５を介して指定されたＵＲＬに基づいて、所定サーバからＷｅｂ閲覧情報をアンテナ３１を介して受信して、液晶ディスプレイ１３にＷｅｂページを表示する。この際、指定されたＵＲＬが記憶部２７に記憶されている場合は、記憶部２７から設定情報４０ｃ、設定情報４１ｅ、または設定情報４２ｃを取得し、これらの情報が示すＷｅｂブラウザの操作状態に基づいてＷｅｂページを表示し、指定されたＵＲＬが記憶部２７に記憶されていない場合は、所定の設定情報が示すブラウザの操作状態に基づいてＷｅｂページを表示するようにすると良い。この所定の設定情報は、予め記憶部２７に記憶されている情報であってもブラウザに予め設定されている情報であっても良い。
【００３３】
図９（Ａ）に、指定されたＵＲＬが記憶部２７に記憶されていなかった場合のＷｅｂページの表示画面５０の一例を示す。指定されたＵＲＬに関する設定情報が記憶部２７に記憶されていないため、このＵＲＬのＷｅｂページ５１は、表示画面５０において所定の設定情報に基づいて表示される。例えば図９（Ａ）に示す表示画面５０では、記憶部２７に記憶されていないＵＲＬ「ｈｔｔｐ：／／ｗｗｗ．ｔｏｓｈｉｂａ．ｃｏ．ｊｐ」のＷｅｂページが、所定の設定情報に基づいて表示されている。
【００３４】
図９（Ｂ）に、指定されたＵＲＬが記憶部２７に記憶されていた場合のＷｅｂページの表示画面５０Ａの一例を示す。指定されたＵＲＬに関する設定情報が、記憶部２７のブックマーク記憶部２７ａ、Ｗｅｂページ記憶部２７ｂ、またはアクセス履歴記憶部２７ｃのいずれかに記憶されているため、このＵＲＬのＷｅｂページ５１Ａは、表示画面５０Ａにおいて、記憶部２７に記憶されている設定情報に基づいて表示される。例えば図９（Ｂ）に示す表示画面５０Ａでは、記憶部２７に記憶されているＵＲＬ「ｈｔｔｐ：／／ｗｗｗ．ｔｏｓｈｉｂａ１．ｃｏ．ｊｐ」のＷｅｂページが、記憶部２７においてこのＵＲＬに対応する設定情報に基づいて表示されている。なお、比較しやすいように、図９（Ａ）に示すＷｅｂページのページ内容と図９（Ｂ）に示すＷｅｂページの内容とは等しいものとする。
【００３５】
例えば、このＵＲＬのＷｅｂページ５１Ａが過去にユーザによりアクセスされたＷｅｂページであって、図６に示すアクセス履歴情報４２のＵＲＬ情報４２ａに記憶されていた場合、表示画面５０Ａには、アクセス履歴情報４２において、このＵＲＬに対応付けられて記録されているフォーカス位置情報４２ｄの「リンクＣ」、文字サイズ情報４２ｆの「大」、表示形式情報４２ｍの「縦向き」等の情報に基づいて、Ｗｅｂページ５１Ａが表示される。すなわち、表示画面５０Ａにおいて、フォーカス位置５２が「リンクＣ」に、文字サイズが大きく、表示形式が縦型で表示されている。その他の設定情報においても同様に、Ｗｅｂサイト５１Ａ上での操作時に反映されるものとする。
【００３６】
閲覧制御部２６は、Ｗｅｂページ表示中（Ｓ１１１）に、ブックマークの登録が指示されたか否かを判断する（Ｓ１１３）。この指示は、例えばユーザの操作キー１５を介する入力により行われる。ブックマークの登録が指示された場合（Ｓ１１３のＹｅｓ）は、閲覧制御部２６は、受信したＷｅｂ閲覧情報からタイトルを示す情報を取得する（Ｓ１１５）。また閲覧制御部２６は、この時のブラウザの操作状態を示す設定情報を取得する（Ｓ１１７）。この設定情報は、例えば図４に示す設定情報４０ｃの情報を含んでいるものとする。
【００３７】
閲覧制御部２６は、図８に示すように、指定されたＵＲＬと、ステップＳ１１５にて取得したタイトルと、ステップＳ１１７にて取得した設定情報とをそれぞれ対応付けてブックマーク情報４０として、ブックマーク記憶部２７ａに記憶する（Ｓ１１９）。これにより、例えば図９（Ｂ）に示す表示画面５１Ａの操作状態でこのＷｅｂページがブックマークに登録された場合、ブックマークからこのＷｅｂページが再び表示された際に、図９（Ｂ）に示す表示画面５１Ａのような操作状態でこのＷｅｂページが表示される。
【００３８】
ステップＳ１１９の処理を終えた場合、あるいはブックマークの登録が指示されていない場合（Ｓ１１３のＮｏ）は、閲覧制御部２６は、ブラウザの終了が指示されたか否かを判断する（Ｓ１２１）。この指示は、例えばユーザによる操作キー１５を介した入力により行われる。ブラウザの終了が指示されていない場合（Ｓ１２１のＹｅｓ）は、再びステップＳ１１１に戻って、閲覧制御部２６はステップＳ１１３乃至Ｓ１２１の処理を行う。またブラウザの終了が指示された場合（Ｓ１２１のＮｏ）は、液晶ディスプレイ１３におけるブラウザの表示を終了する（Ｓ１２３）。
【００３９】
このようにして携帯電話機１は、Ｗｅｂページをブックマークとして登録する時に、ＷｅｂページのＵＲＬとブラウザの操作状態とを併せて記憶しておくことで、ブックマークに登録されているＷｅｂページを表示する際に、ブラウザの操作状態をブックマーク登録時の状態にして表示することができる。
【００４０】
また、携帯電話機１は、Ｗｅｂページの閲覧中にユーザによりＷｅｂページを保存するよう指示された場合、この閲覧中のＷｅｂページの情報（ページの内容を含めた情報）をブラウザの操作状態と併せてＷｅｂページ記憶部２７ｂに記憶するＷｅｂページ保存処理を行う。携帯電話機１が、Ｗｅｂページ保存処理を行う際の手順について、図１０に示すフローチャート、図１１に示すシーケンス図に基づいて説明する。なお、図１１に示すシーケンス図における各ステップは、図１０に示すフローチャートにおける各ステップに対応している。
【００４１】
閲覧制御部２６は、例えばユーザにより操作キー１５を介して指定されたＵＲＬに基づいて、所定サーバからＷｅｂ閲覧情報をアンテナ３１を介して受信して、液晶ディスプレイ１３にＷｅｂページを表示する。ブックマーク登録処理のときと同様に、指定されたＵＲＬが記憶部２７に記憶されていなかった場合のＷｅｂページの表示画面５０の一例が図９（Ａ）であり、指定されたＵＲＬが記憶部２７に記憶されていた場合のＷｅｂページの表示画面５０Ａの一例が図９（Ｂ）である。
【００４２】
閲覧制御部２６は、Ｗｅｂページ表示中（Ｓ２１１）に、Ｗｅｂページの保存が指示されたか否かを判断する（Ｓ２１３）。この指示は、例えばユーザによる操作キー１５を介する入力により行われる。Ｗｅｂページの保存が指示された場合（Ｓ２１３のＹｅｓ）は、閲覧制御部２６は、受信したＷｅｂ閲覧情報から、タイトルを示す情報とページ内容を示すページ情報とを取得する（Ｓ２１５）。また閲覧制御部２６は、主制御部２０から現在日時を示す情報を取得する（Ｓ２１７）。さらに閲覧制御部２６は、この時のブラウザの操作状態を示す設定情報を取得する（Ｓ２１９）。この設定情報は、例えば図５に示す設定情報４０ｃの情報を含んでいるものとする。
【００４３】
閲覧制御部２６は、図１１に示すように、指定されたＵＲＬと、ステップＳ２１５にて取得したタイトルと、同様にステップＳ２１５にて取得したページ内容と、ステップＳ２１７にて取得した現在日時と、ステップＳ２１９にて取得した設定情報とをそれぞれ対応付けてＷｅｂページ情報４１として、Ｗｅｂページ記憶部２７ｂに記憶する（Ｓ２２１）。これにより、例えば図９（Ｂ）に示す表示画面５１Ａの操作状態でこのＷｅｂページが保存された場合、この保存されたＷｅｂページが再び表示された際に、図９（Ｂ）に示す表示画面５１Ａのような操作状態でこのＷｅｂページが表示される。
【００４４】
ステップＳ２２１の処理を終えた場合、あるいはＷｅｂページの保存が指示されていない場合（Ｓ２１３のＮｏ）は、閲覧制御部２６は、ブラウザの終了が指示されたか否かを判断する（Ｓ２２３）。この指示は、例えばユーザによる操作キー１５を介した入力により行われる。ブラウザの終了が指示されていない場合（Ｓ２２３のＹｅｓ）は、再びステップＳ２１１に戻って、閲覧制御部２６はステップＳ２１３乃至Ｓ２２３の処理を行う。またブラウザの終了が指示された場合（Ｓ２２３のＮｏ）は、液晶ディスプレイ１３におけるブラウザの表示を終了する（Ｓ２２５）。
【００４５】
このようにして携帯電話機１は、Ｗｅｂページを保存する時に、ＷｅｂページのＵＲＬとページ内容とブラウザの操作状態とを併せて記憶しておくことで、この保存されたＷｅｂページを再び表示する際に、ブラウザの操作状態をＷｅｂページ保存時の状態にして表示することができる。
【００４６】
また、ユーザがステップＳ２２１にて記憶されたＷｅｂページを閲覧する際には、閲覧制御部２６は、電子通信回線を用いずに、Ｗｅｂページ記憶部２７ｂに記憶されているページ内容情報４１ｄに基づいてＷｅｂページを生成し、ユーザはこのＷｅｂページを閲覧することができる。この際にも、閲覧制御部２６は、Ｗｅｂページ記憶部２７ｂにてこのページ内容情報４１ｄに対応付けられている設定情報４１ｅに基づいて、ブラウザの操作状態を設定する。
【００４７】
また、携帯電話機１は、Ｗｅｂページの閲覧中に、閲覧を行った全てのＷｅｂページのＵＲＬをブラウザの操作状態と併せてアクセス履歴記憶部２７ｃに記憶するアクセス履歴記憶処理を行う。携帯電話機１が、アクセス履歴記憶処理を行う際の手順について、図１２に示すフローチャート、図１３に示すシーケンス図に基づいて説明する。なお、図１３に示すシーケンス図における各ステップは、図１２に示すフローチャートにおける各ステップに対応している。
【００４８】
閲覧制御部２６は、例えばユーザにより操作キー１５を介して指定されたＵＲＬに基づいて、所定サーバからＷｅｂ閲覧情報をアンテナ３１を介して受信して、液晶ディスプレイ１３に、指定されたＵＲＬのＷｅｂページを表示する。ブックマーク登録処理及びＷｅｂページ保存処理のときと同様に、指定されたＵＲＬが記憶部２７に記憶されていなかった場合のＷｅｂページの表示画面５０の一例が図９（Ａ）であり、指定されたＵＲＬが記憶部２７に記憶されていた場合のＷｅｂページの表示画面５０Ａの一例が図９（Ｂ）である。
【００４９】
閲覧制御部２６は、Ｗｅｂページ表示中（Ｓ３０９）に、Ｗｅｂページが更新されたか否かを判断する（Ｓ３１１）。このＷｅｂページの更新は、ユーザにより操作キー１５を介して行われても所定サーバから遠隔操作で行われても良い。Ｗｅｂページが更新された場合（Ｓ３１１のＹｅｓ）は、閲覧制御部２６は、受信したＷｅｂ閲覧情報からタイトルを示す情報を取得する（Ｓ３１３）。また閲覧制御部２６は、この時のブラウザの操作状態を示す設定情報を取得する（Ｓ３１５）。さらに閲覧制御部２６は、図１３に示すように、指定されたＵＲＬと、ステップＳ３１３にて取得したタイトルと、ステップＳ３１５にて取得した設定情報とをそれぞれ対応付けてアクセス履歴情報４２として、アクセス履歴記憶部２７ｃに記憶する（Ｓ３１７）。
【００５０】
Ｗｅｂページが更新されなかった場合（Ｓ３１１のＮｏ）、あるいはステップＳ３１７の処理を終えた場合、閲覧制御部２６は、設定が変更されたか否かを判断する（Ｓ３１９）。この際、例えばユーザによりフォーカス位置が変更されたり文字サイズが変更されたりした場合等に、設定が変更されたものとする。設定が変更された場合（Ｓ３１９のＹｅｓ）は、閲覧制御部２６は、この変更後の操作状態を示す設定情報を取得する（Ｓ３２１）。この設定情報は、例えば図６に示す設定情報４２ｃのうちのいずれかの情報を含んでいるものとする。
【００５１】
そして閲覧制御部２６は、図１３に示すように、ステップＳ３１７にて記憶部２７に記憶された設定情報を、ステップＳ３２１にて取得した設定情報に更新して記憶する（Ｓ３２３）。これにより、例えば図９（Ｂ）に示す表示画面５１Ａの操作状態でこのＷｅｂページの表示が終了された場合、このＷｅｂページが再び表示される際に、図９（Ｂ）に示す表示画面５１Ａのような操作状態でこのＷｅｂページが表示される。
【００５２】
設定が変更されなかった場合（Ｓ３１９のＮｏ）、あるいはステップＳ３２３の処理を終えた場合、閲覧制御部２６は、ブラウザの終了が指示されたか否かを判断する（Ｓ３２５）。この指示は、例えばユーザによる操作キー１５を介した入力により行われる。ブラウザの終了が指示されていない場合（Ｓ３２５のＮｏ）は、閲覧制御部２６は、再びステップＳ３０９に戻って、閲覧制御部２６はステップＳ３１１乃至Ｓ３１９の処理を行う。ブラウザの終了が指示された場合（Ｓ３２５のＹｅｓ）は、閲覧制御部２６は、液晶ディスプレイ１３におけるブラウザの表示を終了する（Ｓ３２７）。
【００５３】
このようにして携帯電話機１は、ユーザが閲覧した全てのＷｅｂページのＵＲＬをブラウザの操作状態と併せてアクセス履歴として記憶しておくことで、このＷｅｂページを再び表示する際に、ブラウザを、前回閲覧した時と等しい操作状態にして表示することができる。
【００５４】
次に、携帯電話機１は、ユーザによりブックマークに登録されているＷｅｂページの閲覧が指示された場合に、このブックマークに登録されているＷｅｂページを表示するブックマーク表示処理を行う。携帯電話機１が、ブックマーク表示処理を行う際の手順について、図１４に示すフローチャート、図１５に示すシーケンス図に基づいて説明する。なお、図１５に示すシーケンス図における各ステップは、図１４に示すフローチャートにおける各ステップに対応している。
【００５５】
ユーザは、携帯電話機１を用いてブックマークからＷｅｂページを閲覧する際に、例えばブックマークとして表示されたＷｅｂページにリストの中から、所定のＷｅｂページを操作キー１５を介した入力により選択することによりＷｅｂページを指定し、このＷｅｂページの表示を指示する。閲覧制御部２６は、ユーザによりブックマークからのＷｅｂページの表示が指示されたか否かを判断する（Ｓ４０１）。ブックマークからのＷｅｂページの表示が指示されていない場合（Ｓ４０１のＮｏ）は、閲覧制御部２６はそのまま待機する。
【００５６】
ブックマークからのＷｅｂページの表示が指示された場合（Ｓ４０１のＹｅｓ）は、閲覧制御部２６は、図１５に示すように、ブックマーク記憶部２７ａから、ステップＳ４０１にて指定されたＷｅｂページのＵＲＬ情報４０ａを取得する（Ｓ４０５）。また閲覧制御部２６は、ブックマーク記憶部２７ａから、ステップＳ４０１にて指定されたＷｅｂページの設定情報４０ｃを取得する（Ｓ４０７）。
【００５７】
閲覧制御部２６は、ステップＳ４０５にて取得したＵＲＬ情報４０ａと、ステップＳ４０７にて取得した設定情報４０ｃとに基づいて、Ｗｅｂページを表示する（Ｓ４０９）。すなわち、閲覧制御部２６は、所定サーバからこのＵＲＬのＷｅｂ閲覧情報を取得し、この設定情報４０ｃに基づいてブラウザの操作状態（フォーカス位置や文字サイズ等の状態）を設定し、Ｗｅｂ閲覧情報に基づいてＷｅｂページを表示する。
【００５８】
このようにして携帯電話機１は、ブックマークに登録されているＷｅｂページを表示する際に、ブラウザを所定の操作状態に設定して表示することができる。携帯電話機１等の電子機器を用いてＷｅｂページを閲覧する時には、液晶ディスプレイ１３が小型であったり操作キー１５の機能に限りがあったりすること等により、ユーザが操作負荷を感じることが多い。よって、ブラウザの操作性を向上させることによりユーザの操作負荷を大きく改善させることができる。また現在、多数のＷｅｂページが提供されており、これらのＷｅｂページ毎に、ユーザが使用しやすいブラウザの操作状態は異なっていることを考慮する必要がある。よって特に、小型の液晶ディスプレイ１３にてＷｅｂページを表示する際に、Ｗｅｂページ毎に最適な表示画面の拡大縮小率を設定して表示することや、１回のキー操作でスクロールする移動量をＷｅｂページ毎に最適な移動量に設定すること等は、携帯型の電子機器の操作性を大きく向上させる。
【００５９】
本発明に係る電子機器（携帯電話機１）によると、Ｗｅｂページ毎に、ＵＲＬをＷｅｂブラウザの操作状態と併せて記憶しておくことで、Ｗｅｂページを表示する際に、Ｗｅｂブラウザを各々のＷｅｂページに適した操作状態にして表示することが可能となる。
【００６０】
例えば、ユーザがＷｅｂページの閲覧中にこのＷｅｂページをブックマークとして登録し、再びこのＷｅｂページをブックマークから閲覧しようとした場合、フォーカス位置がブックマーク登録した時点における位置に設定されるため、ユーザは、フォーカス位置を前回閲覧していた位置まで移動させることなく、閲覧を中断した位置から閲覧することできる。
【００６１】
また、本発明に係る電子機器（携帯電話機１）によると、Ｗｅｂページ毎に、ＵＲＬ、ページ内容をＷｅｂブラウザの操作状態と併せて記憶しておくことで、このＷｅｂページを表示する際に、電気通信回線を介さずとも、ＷｅｂブラウザをＷｅｂページに適した操作状態にして表示することが可能となる。
【００６２】
また、本発明に係る電子機器（携帯電話機１）によると、ユーザにより閲覧された全てのＷｅｂページに関して、ＵＲＬをＷｅｂブラウザの操作状態と併せて記憶しておくことで、このＷｅｂページを再び表示する際に、ＷｅｂブラウザをＷｅｂページに適した操作状態にして表示することが可能となる。
【００６３】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等の任意の通信端末であっても良い。
【図面の簡単な説明】
【００６４】
【図１】（Ａ）は、本発明に係る電子機器（携帯電話機）の開状態を示す正面図、（Ｂ）は、本発明に係る電子機器（携帯電話機）の開状態を示す側面図。
【図２】（Ａ）は、本発明に係る電子機器（携帯電話機）の閉状態を示す正面図、（Ｂ）は、本発明に係る電子機器（携帯電話機）の閉状態を示す側面図。
【図３】本発明に係る電子機器（携帯電話機）の機能ブロック図。
【図４】ブックマーク情報を示すデータ構成図。
【図５】アクセス履歴情報を示すデータ構成図。
【図６】Ｗｅｂページ情報を示すデータ構成図。
【図７】本発明に係る電子機器（携帯電話機）においてブックマーク記憶処理を行う際の手順を示すフローチャート。
【図８】本発明に係る電子機器（携帯電話機）においてブックマーク記憶処理を行う際のシーケンス図。
【図９】（Ａ）は、本発明に係る電子機器（携帯電話機）において、設定情報を用いない場合のＷｅｂページの表示画面を示す画面図、（Ｂ）は、本発明に係る携帯電話機において、設定情報を用いる場合のＷｅｂページの表示画面を示す画面図。
【図１０】本発明に係る電子機器（携帯電話機）においてＷｅｂページ記憶処理を行う際の手順を示すフローチャート。
【図１１】本発明に係る電子機器（携帯電話機）においてＷｅｂページ記憶処理を行う際のシーケンス図。
【図１２】本発明に係る電子機器（携帯電話機）においてアクセス履歴記憶処理を行う際の手順を示すフローチャート。
【図１３】本発明に係る電子機器（携帯電話機）においてアクセス履歴記憶処理を行う際のシーケンス図。
【図１４】本発明に係る電子機器（携帯電話機）においてＷｅｂページ表示処理を行う際の手順を示すフローチャート。
【図１５】本発明に係る電子機器（携帯電話機）においてＷｅｂページ表示処理を行う際のシーケンス図。
【符号の説明】
【００６５】
１…携帯電話機，１０…上筐体，１１…下筐体，１２…ヒンジ部，１３…液晶ディスプレイ，１４…スピーカ，１５…操作キー，１６…マイクロフォン，２０…主制御部，２１…電源回路部，２２…操作入力制御部，２３…表示制御部，２４…音声コーデック，２５…変復調回路部，２６…閲覧制御部，２７…記憶部，２７ａ…ブックマーク記憶部，２７ｂ…Ｗｅｂページ記憶部，２７ｃ…アクセス履歴記憶部，３０…送受信回路部，３１…アンテナ，４０…ブックマーク情報，４１…アクセス履歴情報，４２…Ｗｅｂページ情報，５０、５０Ａ…表示画面，５１、５１Ａ…Ｗｅｂページ，５２…フォーカス位置。
【図１】
0005277612.tif 000002
【図２】
0005277612.tif 000003
【図３】
0005277612.tif 000004
【図４】
0005277612.tif 000005
【図５】
0005277612.tif 000006
【図６】
0005277612.tif 000007
【図７】
0005277612.tif 000008
【図８】
0005277612.tif 000009
【図９】
0005277612.tif 000010
【図１０】
0005277612.tif 000011
【図１１】
0005277612.tif 000012
【図１２】
0005277612.tif 000013
【図１３】
0005277612.tif 000014
【図１４】
0005277612.tif 000015
【図１５】
0005277612.tif 000016